(57)【要約】【課題】異常又は誤動作により動作しても自動復帰せず、しかも一度動作しても交換の必要のない過熱保護手段を備えた電動機を得る。また、修理点検作業のし易い送風機を得る。【解決手段】固定子コイルと電源の間に所定の温度で動作し、固定子コイルへの電源の導通を遮断する過熱保護手段１１を挿入した電動機について、その過熱保護手段１１を、所定の温度で開成する感熱接点１２と、感熱接点１２の開成状態を自己保持する自己保持回路を持つ構成とし、過熱保護手段１１が、自動復帰せず、一度動作した後、電源を切り冷却すると復帰するようにする。また、自己保持回路に表示手段１４を設ける。さらに、この電動機の回転軸に羽根車を装着して送風機を構成する。【選択図】          図６
2004159479.tif 000002
【特許請求の範囲】
【請求項１】
コイルと電源の間に所定の温度で動作し、同コイルへの電源の導通を遮断する次のような過熱保護手段を挿入した電動機。その過熱保護手段は、自動復帰せず、一度動作した後、電源を切り冷却すると復帰するものとする。
【請求項２】
請求項１に記載の電動機であって、過熱保護手段を電動機の内部に設けた電動機。
【請求項３】
請求項１に記載の電動機であって、過熱保護手段を電動機の外部に設けた電動機。
【請求項４】
請求項１〜請求項３までのいずれかに記載の電動機であって、過熱保護手段を搭載する端子台を設けた電動機。
【請求項５】
請求項１〜請求項４までのいずれかに記載の電動機であって、過熱保護手段を複数個設けた電動機。
【請求項６】
請求項１〜請求項５までのいずれかに記載の電動機であって、過熱保護手段の動作に連動して動作する表示手段を設けた電動機。
【請求項７】
コイルと電源の間に所定の温度で動作し、同コイルへの電源の導通を遮断する過熱保護手段を挿入した電動機と、この電動機の回転軸に装着された羽根車を備えた送風機であって、その過熱保護手段は、自動復帰せず、一度動作した後、電源を切り冷却すると復帰するものである送風機。
【請求項８】
請求項７に記載の送風機であって、過熱保護手段の動作に連動して動作する表示手段を設けた送風機。
【発明の詳細な説明】
【０００１】
【発明の属する技術分野】
本発明は、過熱保護手段を備えた電動機及びその電動機を使って構成された送風機に関するものである。
【０００２】
【従来の技術】
電動機の過熱保護は、過電流により溶断する温度ヒューズを使うか、自動復帰型のオートカットを使うか、コイルに流れる電流を検出する電流検出回路を設け、電流検出回路の出力によって電動機を停止させるか或いは、電動機の出力を低下させるかして行われている（例えば、特許文献１参照）。
【０００３】
【特許文献１】
特開平３―３６９８５号公報（第１頁、第１図）
【０００４】
【発明が解決しようとする課題】
上記した従来の過熱保護手段を備えた電動機において、温度ヒューズによるものは、温度ヒューズが溶断した場合にはこれを交換しなければ電動機は動かないため、故障箇所が分かりにくく、新規の電動機に交換してしまうことがある。また、自動復帰型のオートカットによるものでは、オートカットが働いて電源が遮断された状態で、故障箇所を調べていると、自動復帰することがあり、送風機等では羽根車が回り出すので、十分に注意して点検をしなければならない。電流検出回路によるものは、基本的に過熱保護ではなく過電流に対する保護であり、機種毎の検出電流の設定が必要になり、電気回路を備えるためコストがかかる。
【０００５】
本発明は、係る従来の問題点を解決するためになされたものであって、その課題とするところは、異常又は誤動作により動作しても自動復帰せず、しかも一度動作しても交換の必要のない過熱保護手段を備えた電動機を得ることであり、電流検出回路等の不用な低コストの過熱保護手段を備えた電動機を得ることであり、過熱保護手段の動作を表示できる電動機を得ることであり、その電動機を使った修理点検作業のし易い送風機を得ることである。
【０００６】
【課題を解決するための手段】
前記課題を達成するために本発明は、コイルと電源の間に、所定の温度で動作し、コイルへの電源の導通を遮断する、自動復帰せず、一度動作した後、電源を切り冷却すると復帰する過熱保護手段を挿入する手段を採用する。
【０００７】
前記課題を達成するために他の発明は、コイルと電源の間に所定の温度で動作し、コイルへの電源の導通を遮断する過熱保護手段を挿入した電動機と、この電動機の回転軸に装着された羽根車を備えた送風機について、その過熱保護手段を、自動復帰せず、一度動作した後、電源を切り冷却すると復帰するものとする手段を採用する。
【０００８】
【発明の実施の形態】
本実施の形態は、図１に示すように風洞１を構成する本体枠２に取付脚３で支持された電動機４の回転軸に装着された羽根車５が風洞１内で回転するように構成された送風機に関するものである。送風機の電動機４は、図２に示すようにフレームとブラケットで構成された外殻６に固定子７が嵌装され、この固定子７の中心に回転子８が軸受により外殻６に回転可能に軸支された構成である。この電動機４の固定子コイル９は、図３〜図５に示すように結線されている。即ち、図３は単相の場合の結線図であり、図４と図５は三相の場合の結線図である。単相、三相のいずれでも固定子コイル９と電源１０の間に所定の温度で動作し、固定子コイル９への電源１０の導通を遮断する一個又は二個の過熱保護手段１１が挿入されている。なお、強弱切換えのコイルを備えた単相結線でも、三相結線でも同じように過熱保護手段１１が挿入される。また、単相、三相の固定子コイル９の結線パターンは多種あるが、いずれの結線にあっても過熱保護手段１１は、固定子コイル９と電源１０の間に挿入すれば良い。
【０００９】
過熱保護手段１１は、図６や図７に示すような所定の温度で主回路を開成する感熱接点１２と、感熱接点１２の開成により閉回路となる加熱用の抵抗１３を備えた自己保持回路とを備えている。自己保持回路には抵抗１３に直列にＬＥＤ等の表示手段１４が設けられている。この過熱保護手段１１では、感熱接点１２が開成すると、自己保持回路が閉じ、抵抗１３の熱で感熱接点１２は自動復帰せず開成状態に保持される。感熱接点１２の開成したことは、自己保持回路の表示手段１４の動作により表示される。この過熱保護手段１１の復帰は、電源１０を切ることにより、自己保持回路への通電が断たれ、感熱接点１２が冷却し閉成することにより行われる。そして、再度電源１０を投入すれば電動機４は動作することになる。
【００１０】
過熱保護手段１１の取付けは、図２及び図８〜図１０に示すように端子台１５を固定子コイル９の端部に固定し、この端子台１５に取付けるか、図１１に示すように固定子コイル９に直接紐やテープ等の固定手段１６で取付けるか、或いは図１２〜図１６に示すように外殻６の外表に取付けるかの方法が採られる。端子台１５は、図８に示すように過熱保護手段１１の取付け位置に固定子コイル９の外表に通じる孔１７を設け、感熱性を高めるようにしてもよく、他の電装部品も纏めて装着できるようにするとコンパクトになり、コストの低減及び生産性が向上する。表示手段１４については、図９に示すように電動機４の内部に設け、外殻６の対応位置に表示手段１４を視認できる小窓１８を設けても、図１０に示すように外殻６の外表に設けてもよい。
【００１１】
外殻６の外表に過熱保護手段１１を設ける場合、図１２〜図１６に示すように過熱保護手段１１をカバー１９で覆うと過熱保護手段１１を保護することができる。この場合には、図１３に示すように取付台２０を兼用するカバー１９にすると都合がよいし、図１４に示すようにカバー１９に過熱保護手段１１を押付ける押え２１を設けて過熱保護手段１１を安定させることもできる。複数個の過熱保護手段１１は、それぞれ別の場所に取付け、或いは固定子コイル９別に取付けられ、その表示手段１４によって異常箇所の特定がし易いようになっている。
【００１２】
この過熱保護手段１１を設けた電動機４により構成された送風機において、固定子コイル９の異常過熱が起きると、過熱保護手段１１が感熱し、感熱接点１２を開いて電源１０を遮断し、羽根車５が止まり送風は停止する。同時に自己保持回路が閉じ、感熱接点１２を開状態に自己保持し、表示手段１４が動作する。表示手段１４により固定子コイル９の異常が判明する。点検し故障の修復又は誤動作が判明したら、電源１０を切る。電源１０を切ると過熱保護手段１１の自己保持が解かれ、感熱接点１２が冷却されて復帰する。従って、点検中に突然羽根車５が回り出すような不都合はなく、点検作業がし易い。また、複雑な電気回路を要しないのでコストもあまりかからない。そして、表示手段１４による異常表示により、異常箇所の判定が容易である。さらに、一度動作しても復帰させることができ、過熱保護手段１１を取替える必要がなく、経済的でもある。
【００１３】
【発明の効果】
本発明によれば、異常又は誤動作により動作しても自動復帰せず、しかも一度動作しても復帰でき交換の必要のない過熱保護手段を備えた電動機が得られる。
【００１４】
また、他の発明によれば修理点検作業のし易い送風機が得られる。
【図面の簡単な説明】
【図１】実施の形態の送風機を示す分解斜視図である。
【図２】実施の形態の送風機の電動機を、一部を断面して示す側面図である。
【図３】実施の形態の送風機の電動機の固定子コイルの結線図である。
【図４】実施の形態の送風機の電動機の固定子コイルの他の結線図である。
【図５】実施の形態の送風機の電動機の固定子コイルのさらに他の結線図である。
【図６】実施の形態の電動機の過熱保護手段の構成図である。
【図７】実施の形態の電動機の他の過熱保護手段の構成図である。
【図８】実施の形態の送風機の電動機の過熱保護手段の取付方を示す部分断面図である。
【図９】実施の形態の送風機の電動機の過熱保護手段の取付方を示す部分断面図である。
【図１０】実施の形態の送風機の電動機の過熱保護手段の取付方を示す部分断面図である。
【図１１】実施の形態の送風機の電動機の過熱保護手段の取付方を示す部分断面図である。
【図１２】実施の形態の送風機の電動機の過熱保護手段の取付方を示す部分断面図である。
【図１３】実施の形態の送風機の電動機の過熱保護手段の取付方を示す部分断面図である。
【図１４】実施の形態の送風機の電動機の過熱保護手段の取付方を示す部分断面図である。
【図１５】実施の形態の送風機の電動機の過熱保護手段の取付方を示す部分断面図である。
【図１６】実施の形態の送風機の電動機の過熱保護手段の取付方を示す部分断面図である。
【符号の説明】
４  電動機、  ５  羽根車、  ６  外殻、  ９  固定子コイル、  １０  電源、  １１  過熱保護手段、  １４  表示手段、  １５  端子台。
【図１】
2004159479.tif 000003
【図２】
2004159479.tif 000004
【図３】
2004159479.tif 000005
【図４】
2004159479.tif 000006
【図５】
2004159479.tif 000007
【図６】
2004159479.tif 000008
【図７】
2004159479.tif 000009
【図８】
2004159479.tif 000010
【図９】
2004159479.tif 000011
【図１０】
2004159479.tif 000012
【図１１】
2004159479.tif 000013
【図１２】
2004159479.tif 000014
【図１３】
2004159479.tif 000015
【図１４】
2004159479.tif 000016
【図１５】
2004159479.tif 000017
【図１６】
2004159479.tif 000018